(57)【特許請求の範囲】
【請求項１】
金属板材にて構成されているとともに、車両上下方向に隔てて車両外側へ突き出す複数の突出部を有するようにプレス加工された車幅方向に長い長手形状の車両用バンパーリインフォースメントであって、
上方から見た平面視において、車幅方向の中央部分に位置する直線部と、両端部に位置して車体側へ後退する一対の傾斜部と、該直線部と該傾斜部とを滑らかに接続する一対の湾曲部とを備えている一方、
該一対の湾曲部は、車幅方向において車体に固定される一対の支持部よりも内側であって車幅方向の中心に対して対称的な２箇所に設けられており、且つ、車両上下方向へ拡幅されるとともに、前記突出部の数が少ないか該突出部の突出寸法が小さくされた低強度部とされており、
前記直線部および前記傾斜部は、前記低強度部とされていない一般部である
ことを特徴とする車両用バンパーリインフォースメント。
【請求項２】
前記一般部は、前記突出部が一対設けられて車両上下方向の断面がＭ字形状を成している一方、
前記低強度部は、前記突出部の突出寸法は前記一般部と同じであるが数が一つで、車両上下方向に延びた浅い逆皿形状の断面を有しており、
前記一般部および前記低強度部の車両上下方向の断面長さは略同じである
ことを特徴とする請求項１に記載の車両用バンパーリインフォースメント。
【請求項３】
前記低強度部は、車両上下方向の上方または下方へ拡幅されている
ことを特徴とする請求項１または２に記載の車両用バンパーリインフォースメント。
【発明の詳細な説明】
【技術分野】
【０００１】
本発明は車両用バンパーリインフォースメントに係り、特に、車両の乗り上げ・潜り込み防止機能を有するバンパーリインフォースメントの改良に関するものである。
【背景技術】
【０００２】
金属板材にて構成されているとともに、車両上下方向に隔てて車両外側へ突き出す複数の突出部を有するようにプレス加工された車幅方向に長い長手形状の車両用バンパーリインフォースメントが提案されている。特許文献１に記載の装置はその一例で、熱間プレス成形（ホットスタンピング成形）により引張強度が高い高強度のバンパーリインフォースメントが得られるようになっている。特許文献２には、熱間プレス成形により焼入れ硬化させる場合に、荷重入力部位の座屈（折れ曲がり）で荷重が一気に低下することを防止するため、局部的に焼入れが緩和された低強度部を設け、荷重の急低下を抑制して優れた衝突エネルギー吸収性能が得られるようにする技術が提案されている。また、特許文献３には、車両の潜り込みを防止するための嵩上げ壁をバンパーリインフォースメントに一体的に固設する技術が提案されている。
【先行技術文献】
【特許文献】
【０００３】
【特許文献１】特開２００７−３８７５６号公報
【特許文献２】特開２００７−２９０５８２号公報
【特許文献３】特開２００９−１１９９号公報
【発明の概要】
【発明が解決しようとする課題】
【０００４】
したがって、引用文献２に記載の技術を引用文献１に適用することにより、優れた衝突エネルギー吸収性能が得られるようにできるが、車両の乗り上げや潜り込みを防止する機能は得られず、引用文献３のように別部材を固設すると、部品点数や重量の増加を招いて必ずしも十分に満足できないという問題があった。
【０００５】
本発明は以上の事情を背景として為されたもので、その目的とするところは、優れた衝突エネルギー吸収性能が得られるとともに、部品点数や重量の増加を招くことなく車両の乗り上げ・潜り込み防止機能が得られるようにすることにある。
【課題を解決するための手段】
【０００６】
かかる目的を達成するために、第１発明は、金属板材にて構成されているとともに、車両上下方向に隔てて車両外側へ突き出す複数の突出部を有するようにプレス加工された車幅方向に長い長手形状の車両用バンパーリインフォースメントであって、(a) 上方から見た平面視において、車幅方向の中央部分に位置する直線部と、両端部に位置して車体側へ後退する一対の傾斜部と、それ等の直線部と傾斜部とを滑らかに接続する一対の湾曲部とを備えている一方、(b) その一対の湾曲部は、車幅方向において車体に固定される一対の支持部よりも内側であって車幅方向の中心に対して対称的な２箇所に設けられており、且つ、車両上下方向へ拡幅されるとともに、前記突出部の数が少ないかその突出部の突出寸法が小さくされた低強度部とされており、(c) 前記直線部および前記傾斜部は、前記低強度部とされていない一般部であることを特徴とする。
【０００７】
第２発明は、第１発明の車両用バンパーリインフォースメントにおいて、(a) 前記一般部は、前記突出部が一対設けられて車両上下方向の断面がＭ字形状を成している一方、(b) 前記低強度部は、前記突出部の突出寸法は前記一般部と同じであるが数が一つで、車両上下方向に延びた浅い逆皿形状の断面を有しており、(c) 前記一般部および前記低強度部の車両上下方向の断面長さは略同じであることを特徴とする。
【０００８】
第３発明は、第１発明または第２発明の車両用バンパーリインフォースメントにおいて、前記低強度部は、車両上下方向の上方または下方へ拡幅されていることを特徴とする。
【発明の効果】
【０００９】
このような車両用バンパーリインフォースメントにおいては、一対の支持部よりも内側であって車幅方向の中心に対して対称的な２箇所に低強度部が設けられているため、その低強度部で変形し易くなり、荷重入力部位の座屈で荷重が一気に低下することが抑制されて、優れた衝突エネルギー吸収性能が得られるようになる。その場合に、本発明の低強度部は、突出部の数が少ないかその突出部の突出寸法が小さくされることで、その突出部の突出方向からの衝突荷重に対する強度が低下させられ、車両上下方向へ拡幅されているため、その低強度部によって乗り上げ・潜り込み防止機能が得られるようになり、部品点数や重量の増加を招くことなく車両の乗り上げや潜り込みを抑制できる。
【００１０】
第２発明では、低強度部を除く一般部は突出部が一対設けられて断面がＭ字形状を成しているのに対し、低強度部は突出部が一つで車両上下方向に延びた浅い逆皿形状の断面を有しているため、その低強度部の衝突荷重に対する強度が一般部に比較して適切に低下させられる。また、それ等の一般部および低強度部の車両上下方向の断面長さは略同じであるため、車両上下方向の素材幅寸法が一定の金属板材を用いてプレス加工することが可能で、材料歩留りが向上して製造コストが低減される。
【図面の簡単な説明】
【００１１】
【図１】本発明の一実施例である車両用バンパーリインフォースメントを示す図で、(a) は斜視図、(b) は(a) におけるIB−IB断面の拡大図、(c) は(a) におけるIC−IC断面の拡大図である。
【図２】図１の車両用バンパーリインフォースメントを示す図で、(a) は車両への配設状態において上方から見た平面図、(b) は車両の前側から見た正面図である。
【図３】図１の車両用バンパーリインフォースメントの素材である長方形の金属板材を示す平面図である。
【図４】図１の車両用バンパーリインフォースメントおよび比較品を用いて荷重およびＥＡ量（エネルギー吸収量）の特性を調べた結果を説明する図で、(a) は試験方法を説明する図、(b) は試験結果を示した図である。
【図５】図４の試験で用いた比較品を示す斜視図である。
【図６】図４の試験後のテスト品を示す図で、それぞれ図１(a) 、図５に対応する斜視図であり、(a) は本発明品、(b) は比較品である。
【図７】本発明の他の実施例を説明する図で、図１(c) に対応する湾曲部（低強度部）の断面図である。
【図８】本発明の更に別の実施例を説明する図で、図１に対応する図であり、(a) は斜視図、(b) は(a) におけるVIIIB −VIIIB 断面の拡大図、(c) は(a) におけるVIIIC −VIIIC 断面の拡大図である。
【図９】図８の実施例の車両用バンパーリインフォースメントを示す図で、図２に対応する図であり、(a) は車両への配設状態において上方から見た平面図、(b) は車両の前側から見た正面図である。
【図１０】本発明の更に別の実施例を説明する図で、図１に対応する図であり、(a) は斜視図、(b) は(a) におけるXB−XB断面の拡大図、(c) は(a) におけるXC−XC断面の拡大図である。
【図１１】図１０の実施例の車両用バンパーリインフォースメントを示す図で、図２に対応する図であり、(a) は車両への配設状態において上方から見た平面図、(b) は車両の前側から見た正面図である。
【発明を実施するための形態】
【００１２】
本発明の車両用バンパーリインフォースメントは、車両前側に取り付けられるバンパーにも車両後側に取り付けられるバンパーにも適用され得るが、何れか一方のみに適用するだけでも差し支えない。
【００１４】
低強度部は、低強度部以外の一般部との境界で応力集中が生じないように、一般部から滑らかに形状変化するように設けることが望ましく、例えば車両上下方向へ円弧状に膨出させられる。低強度部以外は、支持部を含めてＭ字形状等の同一断面形状であっても良いが、支持部では異なる断面形状とすることもできる。
【００１５】
低強度部は、例えば第２発明のように突出部が一つで車両上下方向に延びた浅い逆皿形状（皿の底部側が車両外側へ突き出す形状）の断面を有するように構成されるが、突出部の数は一般部と同じで、突出部の突出寸法を小さくして車両上下方向へ拡幅するようにしても良い。また、第２発明では、一般部および低強度部の車両上下方向の断面長さが略同じであるが、第１発明の実施に際しては、一般部および低強度部の車両上下方向の断面長さが同じである必要はなく、適宜定められる。第２発明ではまた、一般部および低強度部における突出部の突出寸法が同じであるが、低強度部の突出部の突出寸法を一般部より小さくすることもできるなど、種々の態様が可能である。
【００１６】
第３発明では、車両上下方向の上方または下方へ拡幅されて低強度部が設けられているが、車両上下方向の上方および下方へそれぞれ拡幅して低強度部を設けることもできる。低強度部による乗り上げ・潜り込み防止機能は、必ずしも乗り上げ防止および潜り込み防止の両方の作用が得られる必要はなく、乗り上げ防止および潜り込み防止の少なくとも一方の作用が得られれば良い。車両上下方向の上方および下方へそれぞれ拡幅して低強度部を設ければ、乗り上げ防止および潜り込み防止の両方の作用が得られる。
【００１７】
バンパーリインフォースメントを形成するためのプレス加工は、例えば曲げ加工を主体として行われるものでも良いが、絞り加工の要素を含んでいても良く、目的とする断面形状の成形面を有する一対の金型を用いて１回のプレス加工で形成することが望ましい。バンパーリインフォースメントの車両上下方向の両側部には、必要に応じて平坦なフランジが車両の上方側および下方側へ突き出すように設けられても良い。金属板材としては、熱間プレス成形により焼入れ硬化させることができる熱間プレス成形用鋼板が好適に用いられる。
【実施例１】
【００１８】
以下、本発明の実施例を、図面を参照しつつ詳細に説明する。
図１の車両用バンパーリインフォースメント（以下、単にバンパーリインフォースメントともいう）１０は、車両のフロント側に配設されるもので、(a) は斜視図、(b) は(a) におけるIB−IB断面の拡大図、(c) は(a) におけるIC−IC断面の拡大図である。図２は、同じくバンパーリインフォースメント１０を示す図で、(a) は車両への配設状態において上方から見た平面図、(b) は車両の前側から見た正面図である。また、図３は、バンパーリインフォースメント１０の素材である長方形の金属板材１２を示す平面図で、本実施例では熱間プレス成形により所定形状に曲げ加工されるとともに、焼入れ硬化により引張強度が１４００ＭＰａ以上まで高強度化される熱間プレス成形用鋼板が用いられる。
【００１９】
バンパーリインフォースメント１０は、図２(a) の左右方向である車幅方向に長い長手形状を成しているとともに、図２の(a) に示す平面視において、車幅方向の中央部分に位置する直線部１４と、両端部に位置する一対の傾斜部１６と、それ等の直線部１４および傾斜部１６を滑らかに接続する一対の湾曲部１８とを備えている。このバンパーリインフォースメント１０は、車幅方向の中心に対して左右対称に構成されており、両端の一対の傾斜部１６は車体側へ後退する部分で、バンパーステイ２０を介して車体側部材である左右のサイドメンバ２２に固定される。傾斜部１６の中バンパーステイ２０に固定される部分が支持部に相当する。そして、このようなバンパーリインフォースメント１０の外側には、合成樹脂製のバンパー本体２４が配設される。
【００２０】
上記バンパーリインフォースメント１０の中、直線部１４および一対の傾斜部１６は、図１の(b) に示すように車両外側（この実施例では前方）へ逆Ｕ字形状に突き出す一対の突出部３０、３２が連結部３４を介して車両上下方向に隔てて設けられ、全体としてＭ字型断面形状を成しているとともに、その両端部、すなわち車両上下方向の上下の側部には、それぞれ平坦なフランジ３６、３８が上下に突き出すように設けられている。Ｍ字型断面の各折れ曲がり部分は、何れも比較的角張るように曲げ加工されており、一対の突出部３０、３２は、それぞれ先端側程幅寸法が狭くなる台形状を成している。また、連結部３４は一直線すなわち平坦面で、フランジ３６、３８と共通の平面内に位置させられ、それ等が略垂直となる姿勢で配設される。なお、図１(b) の左方向が車両前側である。
【００２１】
バンパーリインフォースメント１０の一対の湾曲部１８は、車幅方向の中心に対して対称的な２位置に設けられているとともに、図１(c) に示す車両上下方向の断面から明らかなように単一の突出部４０にて構成されている。この突出部４０の車両前方への突出寸法は前記突出部３０、３２と同じであるが、車両上下方向の幅寸法が大きく、図１(c) に示す車両上下方向の断面において浅い逆皿形状を成している。すなわち、この湾曲部１８の上下方向寸法は前記直線部１４や傾斜部１６よりも大きく、車両上下方向の上方および下方へそれぞれ拡幅しているが、図１(a) および図２(b) から明らかなように、それ等の直線部１４および傾斜部１６の上下の端縁に滑らかに接続されるように、上方および下方へそれぞれ滑らかに円弧状に膨出させられている。図１の(b) および(c) に示す車両上下方向の断面形状における断面長さは略同じで、図３に示すように車両上下方向の素材幅寸法（図３における上下方向の幅寸法）が一定の長方形の金属板材１２をプレス加工することによって製造できる。また、上記湾曲部１８の上下の両端には、前記フランジ３６、３８が前記直線部１４、傾斜部１６から連続して設けられている。本実施例では、単一の突出部４０にて構成されている湾曲部１８が低強度部で、一対の突出部３０、３２を有する直線部１４および傾斜部１６が一般部に相当する。図１の(b) および(c) の中心線Ｓは、(b) に示す直線部１４および傾斜部１６における上下方向の中心線で、(c) の湾曲部１８は上下方向へ略均等に拡幅されている。
【００２２】
このような本実施例の車両用バンパーリインフォースメント１０においては、車幅方向の中心に対して対称的な２箇所に低強度の湾曲部１８が設けられているため、その湾曲部１８で変形し易くなり、荷重入力部位の座屈で荷重が一気に低下することが抑制されて、優れた衝突エネルギー吸収性能が得られるようになる。その場合に、湾曲部１８は、単一の突出部４０にて構成されることにより、その突出部４０の突出方向（車両前方）からの衝突荷重に対する強度が低下させられ、車両上下方向へ拡幅されているため、その湾曲部１８によって車両の乗り上げ・潜り込み防止機能が得られるようになり、部品点数や重量の増加を招くことなく車両の乗り上げや潜り込みを抑制できる。本実施例では車両上下方向の上方および下方へそれぞれ拡幅されているため、車両の乗り上げ防止および潜り込み防止の両方の作用が適切に得られる。
【００２３】
また、本実施例では、低強度の湾曲部１８を除く直線部１４および傾斜部１６では一対の突出部３０、３２が設けられて断面がＭ字形状を成しているのに対し、湾曲部１８は単一の突出部４０にて構成されており、車両上下方向に延びた浅い逆皿形状の断面を有しているため、その湾曲部１８の衝突荷重に対する強度が直線部１４および傾斜部１６にに比較して適切に低下させられる。
【００２４】
また、本実施例では、上記直線部１４、傾斜部１６、および湾曲部１８の車両上下方向の断面長さが略同じであるため、車両上下方向の素材幅寸法が一定の金属板材１２を用いてプレス加工することが可能で、材料歩留りが向上して製造コストが低減される。
【００２５】
図４は、本実施例のバンパーリインフォースメント１０と図５に示す比較品５０とを用いて、衝突エネルギー吸収性能の違いを調べた結果を説明する図である。比較品５０は、湾曲部５２の断面形状が前記直線部１４、傾斜部１６と同じで、図１(b) に示すようにＭ字形断面とされているものである。図４の(a) は試験方法を説明する図で、前記傾斜部１６の支持部付近を一対の支持台６０上に載置して固定し、先端が半円弧形状の衝突片６２を所定速度で車幅方向の中央部分に衝突させ、その時の荷重変化を測定してＥＡ量（エネルギー吸収量）を求めた。ＥＡ量は荷重の積分値に相当する。
【００２６】
図４の(b) は試験結果で、本発明品（バンパーリインフォースメント１０）すなわち低強度部有りの場合は実線で示し、比較品５０すなわち低強度部無しの場合は破線で示した。この結果から、低強度部無しの比較品５０の場合、強度が高いことから荷重が急激に立ち上がるが、車幅方向の中央の荷重入力部で座屈（折れ曲がり）し始める変位７０ｍｍ付近から荷重が急に低下してＥＡ量の伸びが鈍くなる。これに対し、低強度部有りの本発明品は、低強度の湾曲部１８を有するため、その湾曲部１８が変形することにより荷重の立ち上がりが緩やかになるが、荷重のピークはなだらかで比較的長く、滑らかな荷重特性になるとともに、最終的なＥＡ量は比較品５０と同程度以上で、優れた衝突エネルギー吸収性能が得られる。また、図６は試験後の試験品の斜視図で、(a) は本発明品（バンパーリインフォースメント１０）、(b) は比較品５０であり、比較品５０は荷重入力部である直線部１４の中央付近で座屈しているのに対し、本発明品は、湾曲部１８が逆向きに変形しているものの、直線部１４は座屈することなく緩やかに湾曲しているだけであった。
【実施例２】
【００２７】
次に、本発明の他の実施例を説明する。なお、以下の実施例において前記実施例と実質的に共通する部分には同一の符号を付して詳しい説明を省略する。
【００２８】
前記実施例の湾曲部１８は単一の突出部４０にて構成されていたが、図７に示す湾曲部７０のように、一対の突出部７２、７４を比較的浅い連結部７６によって連結した場合も、前記直線部１４、傾斜部１６に比較して車両前方からの衝突荷重に対する強度が低くなり、低強度部として用いることができる。図７は前記図１の(c) に対応する断面図である。
【実施例３】
【００２９】
また、図８および図９に示す車両用バンパーリインフォースメント８０の湾曲部８２は、図８(c) に示す断面形状そのものは前記湾曲部１８と同じであるが、上方側へのみ拡幅されている点が相違する。この場合は、前方車両への乗り上げ防止作用は得られないものの、上方への突出寸法は湾曲部１８よりも大きいため、前方車両に対する潜り込み防止作用が一層適切に得られるようになり、例えばバンパー位置が低い車両に積極的に適用される。図８および図９は前記図１および図２に対応する図である。
【実施例４】
【００３０】
図１０および図１１に示す車両用バンパーリインフォースメント９０の湾曲部９２は、上記湾曲部８２とは逆に下方側へのみ拡幅されている場合で、前方車両への潜り込み防止作用は得られないものの、下方への突出寸法は湾曲部１８よりも大きいため、前方車両に対する乗り上げ防止作用が一層適切に得られるようになり、例えばバンパー位置が高い車両に積極的に適用される。図１０および図１１は前記図１および図２に対応する図である。
【００３１】
以上、本発明の実施例を図面に基づいて詳細に説明したが、これ等はあくまでも一実施形態であり、本発明は当業者の知識に基づいて種々の変更，改良を加えた態様で実施することができる。
【符号の説明】
【００３２】
１０、８０、９０：車両用バンパーリインフォースメント    １２：金属板材    １４：直線部（一般部）    １６：傾斜部（支持部、一般部）    １８、７０、８２、９２：湾曲部（低強度部）    ３０、３２、４０、７２、７４：突出部
【図１】
0005689034.tif 000002
【図２】
0005689034.tif 000003
【図３】
0005689034.tif 000004
【図４】
0005689034.tif 000005
【図５】
0005689034.tif 000006
【図６】
0005689034.tif 000007
【図７】
0005689034.tif 000008
【図８】
0005689034.tif 000009
【図９】
0005689034.tif 000010
【図１０】
0005689034.tif 000011
【図１１】
0005689034.tif 000012